【手続補正書】
【提出日】平成19年6月22日(2007.6.22)
【手続補正１】
【補正対象書類名】明細書
【補正対象項目名】特許請求の範囲
【補正方法】変更
【補正の内容】
【特許請求の範囲】
【請求項１】  集積回路が高電力状態である第２の電力状態から低電力状態である第１の電力状態に遷移するとき、第１および第２のノードの間の電圧レベルが第２の電圧レベルから第１の電圧レベルに変化するようになっているその集積回路の第１のノードと第２のノードの間に結合されるキャパシタを横断する電圧レベルを、これらのキャパシタを横断する電圧レベルがこれらのキャパシタの絶縁破壊電圧限界を超えないように制御する方法であって、この方法は、
前記集積回路の前記第１および第２のノードの間に第１のキャパシタおよび第２のキャパシタを直列に接続し、前記第１および第２のキャパシタの間に中間ノードを構成するステップと、
前記集積回路が前記第１の電力状態におかれるとき、前記第１のノードと前記中間ノードの間における電圧レベルが前記第１のキャパシタの絶縁破壊電圧を超えないように、かつ前記中間ノードと前記第２のノードの間における電圧レベルが前記第２のキャパシタの絶縁破壊電圧を超えないように前記中間ノードの電圧レベルを第３の電圧レベルにセットするステップと、
から構成されることを特徴とする制御方法。
【請求項２】  集積回路が第２の電力状態から第１の電力状態に遷移するとき、第１および第２のノードの間の電圧レベルが第２の電圧レベルから第１の電圧レベルに変化するようになっているその集積回路の第１のノードと第２のノードの間に結合されるキャパシタを横断する電圧レベルを、これらのキャパシタを横断する電圧レベルがこれらのキャパシタの絶縁破壊電圧限界を超えないように制御する方法であって、この方法は、
前記集積回路の前記第１および第２のノードの間に第１のキャパシタおよび第２のキャパシタを直列に接続し、前記第１および第２のキャパシタの間に中間ノードを構成するステップと、
前記集積回路が前記第１の電力状態におかれるとき、前記第１のノードと前記中間ノードの間における電圧レベルが前記第１のキャパシタの絶縁破壊電圧を超えないように、かつ前記中間ノードと前記第２のノードの間における電圧レベルが前記第２のキャパシタの絶縁破壊電圧を超えないように前記中間ノードの電圧レベルを第３の電圧レベルにセットするステップと、
から構成され、前記第３の電圧レベルが、前記集積回路が前記第１の電力状態におかれているときの前記第１のノードの電圧レベルに対応することを特徴とする方法。
【請求項３】  直列に接続された複数のポンプ・ステージを有するチャージ・ポンプであって、前記ポンプ・ステージの少なくとも１つは、容量性デバイスを介して対応するクロック信号に結合される少なくとも１つのノードを含み、前記少なくとも１つのノードは、前記チャージ・ポンプが第１の電力状態にあるとき第１の電圧を有し、かつ前記チャージ・ポンプが第２の電力状態にあるとき第２の電圧を有するチャージ・ポンプにおいて、前記少なくとも１つのノードにおける電圧要件と、前記容量性デバイスのストレス限界ならびにダイ面積をバランスさせる方法であって、この方法は、
前記第１の電圧ならびに前記第２の電圧が単一の第１のタイプのキャパシタのストレス限界を超えない場合には、前記少なくとも１つのノードと前記対応するクロック信号の間における前記容量性デバイスとして、単一の前記第１のタイプのキャパシタを使用するステップと、
前記第２の電圧が単一の前記第１のタイプのキャパシタのストレス限界を超え、前記第１の電圧ならびに前記第２の電圧が単一の第２のタイプのキャパシタのストレス限界を超えていなければ、前記少なくとも１つのノードと前記対応するクロック信号の間の前記容量性デバイスとして、単一の前記第１のタイプのキャパシタよりストレス限界が大きく、かつダイ面積が大きい単一の前記第２のタイプのキャパシタを使用するステップと、
前記第２の電圧が単一の前記第２のタイプのキャパシタのストレス限界を超え、前記第１の電圧ならびに前記第２の電圧が２つの前記第１のタイプのキャパシタの合成したストレス限界を超えていなければ、前記少なくとも１つのノードと前記対応するクロック信号の間における前記容量性デバイスとして、直列に接続した２つの前記第１のタイプのキャパシタを使用するステップと、
前記第１の電圧が第１のタイプの２つのキャパシタの組合せたストレス限界を超え、この２つのキャパシタの夫々の電圧が各キャパシタのストレス限界を超えないように、チャージ・ポンプが第１の電力状態であれば、第１のタイプの前記２つのキャパシタ間の中間ノードをチャージ・ポンプが第１電力状態にあるときの前記第１のノードにおける電圧レベルに対応する第３の電圧レベルにセットするステップと、
から構成されることを特徴とする方法。
【請求項４】  それぞれが入力ノードおよび出力ノードを有する、直列に接続された複数のポンプ・ステージを有するチャージ・ポンプ回路において、少なくとも１つのポンプ・ステージが、
ゲート、第１の端子、および第２の端子を有し、前記第１の端子がそれぞれのポンプ・ステージの入力ノードに結合され、前記第２の端子がそれぞれのポンプ・ステージの出力ノードに結合されているスイッチング・トランジスタと、
第１のエンドおよび第２のエンドを有する第１のキャパシタであって、前記第１のキャパシタの前記第１のエンドが前記スイッチング・トランジスタの前記ゲートに結合されている第１のキャパシタと、
第１のエンドおよび第２のエンドを有する第２のキャパシタであって、前記第２のキャパシタの前記第１のエンドが前記第１のキャパシタの前記第２のエンドに結合されて第１の中間ノードを構成し、かつ前記第２のキャパシタの前記第２のエンドが第１のクロック信号に結合されている第２のキャパシタと、
第１のエンドおよび第２のエンドを有する第３のキャパシタであって、前記第３のキャパシタの前記第１のエンドがそれぞれのポンプ・ステージの出力ノードに結合されている第３のキャパシタと、
第１のエンドおよび第２のエンドを有する第４のキャパシタであって、前記第４のキャパシタの前記第１のエンドが前記第３のキャパシタの前記第１のエンドに結合されて第２の中間ノードを構成し、かつ前記第４のキャパシタの前記第２のエンドが第２のクロック信号に結合されている第４のキャパシタと、
から構成され、前記第１および第２中間ノードはチャージ・ポンプが低電力状態にあるときに、予定の電圧レベルにセットされていることを特徴とするチャージ・ポンプ回路。
【請求項５】  チャージ・ポンプ回路内のチャージ・ポンプ・ステージであって、このステージは、
ゲート、第１の端子、および第２の端子を有し、前記第１の端子が前記チャージ・ポンプ・ステージの入力ノードに結合され、前記第２の端子が前記チャージ・ポンプ・ステージの出力ノードに結合されている第１のスイッチング・トランジスタと、
前記第１のスイッチング・トランジスタの前記ゲートと第１のクロック信号の間に直列に接続される少なくとも２つのキャパシタであって、２つのキャパシタの間に第１の中間ノードを構成する少なくとも２つのキャパシタと、
前記出力ノードと第２のクロック信号の間に直列に接続される少なくとも２つのキャパシタであって、２つのキャパシタの間に第２の中間ノードを構成する少なくとも２つのキャパシタと、
前記チャージ・ポンプ回路が第１の電力状態にあるとき前記第１および第２の中間ノードを第１の電圧源に接続し、前記チャージ・ポンプ回路が第２の電力状態にあるとき前記第１および第２の中間ノードを前記第１の電圧源から切り離す制御デバイスと、
入出力端子を有し、この入力端子は第１のスイッチング・トランジスタの第１端子に接続すると共に、前記出力端子は前記第１のスイッチング・トランジスタのゲートに接続した第１のタイオードと、
入力端子を有し、この入力端子は第１のスイッチング・トランジスタのゲートに接続すると共に前記出力端子は第１のスイッチング・トランジスタの第１の端子に接続した第２のダイオードと、
から構成されることを特徴とするチャージ・ポンプ・ステージ。